(57)【要約】【課題】複数チューナーにより取得したパケット単位の映像を、単一の処理回路で処理するデジタル放送受信装置および信号処理方法を提供する。【解決手段】この発明は、複数チャンネルのデジタル放送信号のパケットを受け付け、各パケットが到着した時刻を示すカウンター値を含むパケットと、カウンター値を含むパケットに付属すべき特定の情報を含む付属情報パケットを生成し、カウンター値を含むパケットと、付属情報パケットのそれぞれを受信して、デマックスし、各パケットに付属するＰＣＲ（Program Clock Reference）とカウンター値とを比較し、ＳＴＣ（System Time Clock）を、必要に応じて補正することにより、単一のＴＳ入力に対応するデジタル放送受信モジュールを用いて複数チャンネルのデジタル放送を再生することが可能である。【選択図】  図１
2010154133.tif 000002
【特許請求の範囲】
【請求項１】
複数チャンネルのデジタル放送信号のパケットを受け付け、各パケットが到着した時刻を示すカウンター値を含むパケットと、カウンター値を含むパケットに付属すべき特定の情報を含む付属情報パケットを生成する入力変換モジュールと、
前記入力変換モジュールから送られてくるそれぞれのパケットを受信して、デマックスし、前記各パケットに付属するＰＣＲ（Program Clock Reference）と前記カウンター値とを比較し、ＳＴＣ（System Time Clock）を、必要に応じて補正するデジタル放送受信モジュールと、
を有することを特徴とするデジタル放送受信装置。
【請求項２】
前記入力変換モジュールは、入力チャンネル数に対応する複数のバッファメモリモジュールを含み、
前記ＰＣＲ（Program Clock Reference）値と比較される前記カウンター値を、前記複数チャンネルの個々のパケットに付加することを特徴とする請求項１記載のデジタル放送受信装置。
【請求項３】
前記入力変換モジュールは、入力チャンネル数に対応する複数のバッファメモリモジュールを含み、
前記デジタル放送受信モジュールが、前記ＰＣＲ（Program Clock Reference）値と比較される前記カウンター値を取得可能にフォーマットすることを特徴とする請求項１記載のデジタル放送受信装置。
【請求項４】
前記フォーマットは、任意の入力チャンネルからＴＳパケットが到着した時刻のカウンター値を含むパケットと、そのパケットに対応する前記特定の情報を含むパケットを所定の順に配列することを特徴とする請求項３記載のデジタル放送受信装置。
【請求項５】
前記フォーマットは、任意の入力チャンネルからＴＳパケットが到着した時刻のカウンター値を含むパケットと、そのパケットに対応する前記特定の情報を含むパケットを並列に配列することを特徴とする請求項３記載のデジタル放送受信装置。
【請求項６】
複数チャンネルのデジタル放送信号のパケットを受け付け、各パケットが到着した時刻を示すカウンター値を含むパケットと、カウンター値を含むパケットに付属すべき特定の情報を含む付属情報パケットを生成し、
カウンター値を含むパケットと、付属情報パケットのそれぞれを受信して、デマックスし、各パケットに付属するＰＣＲ（Program Clock Reference）とカウンター値とを比較し、ＳＴＣ（System Time Clock）を、必要に応じて補正することを特徴とするデジタル放送信号処理方法。
【発明の詳細な説明】
【技術分野】
【０００１】
この発明は、複数チャンネルの番組を同時に受信する受信装置および信号処理方法に関する。
【背景技術】
【０００２】
従来からの地上アナログ放送に加え、衛星を用いた衛星放送や地上デジタル放送が普及し、映像及び音声からなる番組（コンテンツ）の供給元が多岐に亘っている。また、高速通信網の普及にともない、有線方式で番組を配信する配信事業者やネットワーク上に番組を公開して、ユーザーが番組を選択して視聴可能とする事業者も増えている。
【０００３】
このような背景から、複数の番組を同時に受信できることへの要望も増えている。
【０００４】
特許文献１には、複数チューナーからのＴＳ（Transport Stream）をパケット単位のＴＳに多重化し、分離部で分離して番組データを取得する際に、遅延が出ているパケット（ＴＳ）を優先して処理することが示されている。
【特許文献１】特開２００１−３４６２０４
【発明の開示】
【発明が解決しようとする課題】
【０００５】
しかしながら、特許文献１には、複数チューナーからのチューナー毎のパケット単位のＴＳを単一の処理回路において処理することを示唆する記載が見当たらない。
【０００６】
この発明の目的は、複数チューナーにより取得したパケット単位の映像を、単一の処理回路で処理するデジタル放送受信装置および信号処理方法を提供することである。
【課題を解決するための手段】
【０００７】
この発明は、上記問題点に基づきなされたもので、複数チャンネルのデジタル放送信号のパケットを受け付け、各パケットが到着した時刻を示すカウンター値を含むパケットと、カウンター値を含むパケットに付属すべき特定の情報を含む付属情報パケットを生成する入力変換モジュールと、前記入力変換モジュールから送られてくるそれぞれのパケットを受信して、デマックスし、前記各パケットに付属するＰＣＲ（Program Clock Reference）と前記カウンター値とを比較し、ＳＴＣ（System Time Clock）を、必要に応じて補正するデジタル放送受信モジュールと、を有することを特徴とするデジタル放送受信装置を提供するものである。
【発明の効果】
【０００８】
この発明の一つの実施の形態によれば、単一のＴＳ入力に対応するデジタル放送受信モジュールを用い、複数のチューナーモジュールからの複数チャンネルのデジタル放送信号を、同時にデコード可能となる。
【０００９】
また、単一のＴＳ入力に対応するデジタル放送受信モジュールを用いて複数チャンネルのデジタル放送を再生することが可能であり、新たに、多チャンネルの入力を並列処理可能なデジタル放送受信モジュールを開発することが必要なく、低コストで多チャンネルに対応できる。
【発明を実施するための最良の形態】
【００１０】
以下、図面を参照して、本発明の実施の形態の一例について説明する。
【００１１】
図１は、この発明を適用したデジタル放送受信装置の実施の一形態を示す。
【００１２】
図１に示すデジタル放送受信装置１は、ＢＳ（Broadcasting Satellite，放送衛星による）デジタル放送、ＣＳ（Communication Satellite，通信衛星を用いて中継された）デジタル放送、あるいは地上波デジタル放送の各番組データを受信することが可能である。また、これらの各放送では、ビデオ（Video，映像）、オーディオ（Audio，音声または音楽）及びその他の情報を多重化したものであるＭＰＥＧ（Moving Picture Experts Group）−２のＴＳ（Transport Stream）形式の放送信号が用いられる。なお、このＴＳ形式の放送信号においては、ビデオやオーディオや同期に使用されるＰＣＲ（Program Clock Reference）の値が記録されている。また、以下に説明する各要素において、「モジュール」と呼称する要素は、ハードウェアで実現するものであってもよいし、ＣＰＵ等を使ってソフトウェアで実現するものであってもよい。
【００１３】
図１に示すデジタル放送受信装置１は、任意数のチューナーから、チューナー毎に選局されたチャンネルのデジタル放送のＴＳ（Transport Stream）のパケットが入力されるＴＳ入力変換モジュール１１、ＴＳ入力変換モジュール１１から供給される多重化されたＴＳパケットを分離し、Ｖｉｄｅｏ信号すなわち映像出力、及びＡｕｄｉｏ信号すなわち音声出力のそれぞれをデコードして、後段に説明する映像再生装置すなわちモニタ装置、及び音声再生装置すなわちスピーカー装置に出力するデジタル放送再生モジュール２１を含む。
【００１４】
ＴＳ変換モジュール１１は、Ｎ（Ｎは正の整数）セットのチューナーモジュール１０１−１，１０１−２，・・・，１０１−Ｎのそれぞれから入力される任意のチャンネルのデジタル放送のＴＳパケットを所定時間保持するバッファメモリモジュール１３−１，１３−２，・・・，１３−Ｎ、及びＳＴＣ（System Time Clock）と呼ばれるシステムクロックを取得し、カウントするＳＴＣカウンター１５を含む。
【００１５】
ＴＳ変換モジュール１１のバッファメモリモジュール１３−１，１３−２，・・・，１３−Ｎは、ＴＳパケットをデジタル放送再生モジュール１３に送出するタイミングとなるまでの所定期間、対応する個々のチューナーから送られてくるＴＳパケットと、ＴＳパケットが到達した時のＳＴＣカウンター１５の値やＴＳパケットが到着したときのエラー等のステータス（Status）を保持する。なお、個々のチューナーモジュールル１０１−１，１０１−２，・・・，１０１−Ｎのそれぞれは、誤り訂正部を含み、図示しないアンテナを通じて受信し、選局したＢＳデジタル／ＣＳデジタルもしくは地上波デジタル放送信号を復号し、誤り訂正処理などを実施する。
【００１６】
デジタル放送再生モジュール２１は、ＴＳパケット入力変換モジュール１１側のバッファメモリモジュール１３−１，１３−２，・・・，１３−Ｎから入力されるＴＳパケットを受信するＴＳ入力モジュール２２、ＴＳ入力モジュール２２に入力されたＴＳパケットを分離（Ｄｅｍｕｘ）し、スクランブル成分を解除（デスクランブル）するＴＳＤｅｍｕｘ（分離）モジュール２３、ＳＴＣを再生し、ＴＳ変換モジュール１１のＳＴＣカウンター１５に入力するＳＴＣ制御モジュール２４、ビデオデコードモジュール２５、及びオーディオデコードモジュール２６を、少なくとも含む。なお、ＴＳ変換モジュール１１で付加されたエラー等のステータスを受け取り、必要な処理を行う制御モジュール２７が、設けられる。
【００１７】
なお、ＴＳ入力モジュール２２に入力されたＴＳパケットは、ＴＳＤｅｍｕｘモジュール２３でデマックス（分離）され、分離されたＰＣＲデータはＳＴＣ制御モジュール２４へ、ビデオデータはビデオデコードモジュール２５へ、オーディオデータはオーディオデコードモジュール２６へ送られる。
【００１８】
ＳＴＣ制御モジュール２４は、ビデオ信号及びオーディオ信号の同期処理に使用されるＳＴＣを再生し、ＴＳ変換モジュール１１のＳＴＣカウンター１５に供給する。ＳＴＣ制御では、ＭＰＥＧ−２−ＴＳパケット中のＰＣＲデータと比較され、ＳＴＣがＰＣＲより進んでいたらＳＴＣを遅らせるように、ＳＴＣがＰＣＲより遅れていたらＳＴＣを早めるように、補正される。これにより、ＴＳパケット毎に、正確な時刻が維持される。なお、ビデオデコードモジュール２５でデコードされたビデオデータ（映像信号）と、オーディオデコード部２６でデコードされたオーディオデータ（音声信号）は、ＳＴＣに従い、同期されることはいうまでもない。
【００１９】
ビデオデコードモジュール２５及びオーディオデコードモジュールより２６により、それぞれデコードされた映像（ビデオ）及び音声（オーディオ）は、外部に接続される映像再生装置すなわちモニタ装置１０３、ならびに音声再生装置すなわちスピーカー装置１０５に供給され、映像と音声（音楽）が再生される。
【００２０】
制御モジュール２７は、ＴＳ変換モジュール１１で付加されたエラー等のステータスを受け取り、必要な処理を行う。
【００２１】
なお、上述した構成は、例えばＴＳパケット入力変換部１１内の各要素であるバッファメモリモジュール１３−１，１３−２，・・・，１３−Ｎ、及びＳＴＣカウンター１５をハードウェアで実現し、テジタル放送受信再生モジュール２１内の各要素であるＴＳ入力モジュール２２、ＴＳＤｅｍｕｘモジュール２３、ビデオデコードモジュール２５、オーディオデコードモジュール２６及びＳＴＣ制御モジュール２４を、ソフトウェアにより実現することが可能である。この場合、上記ソフトウェアを実現するプログラムを記憶したＲＯＭ及び作業エリアを提供するＲＡＭを、テジタル放送受信再生モジュール２１内に設けておけばよい。
【００２２】
図２は、図１に示したデジタル放送受信装置において、ＴＳ入力変換モジュールに、各チューナーモジュールから入力されるＴＳパケットを時系列的に示す。
【００２３】
図２に示すように、個々のチューナーモジュールから出力されるＴＳパケットは、任意のチューナーモジュールにより選局された１つのチャンネルの放送信号について、チューナー１０１−１からの出力である「Ｔｕｎｅｒ１＿１」，「Ｔｕｎｅｒ１＿２」，・・・，「Ｔｕｎｅｒ１＿ｎ（ｎは正の整数）」、チューナー１０１−２からの出力である「Ｔｕｎｅｒ２＿１」，「Ｔｕｎｅｒ２＿２」，・・・，「Ｔｕｎｅｒ２＿ｎ」、及びチューナー１０１−Ｎからの出力である「ＴｕｎｅｒＮ＿１」，「ＴｕｎｅｒＮ＿２」，・・・，「ＴｕｎｅｒＮ＿ｎ」のように、チューナー毎に出力される。
【００２４】
図３は、図２に示した個々のチューナーモジュールから入力された各ＴＳパケットを、デジタル放送受信モジュールのＴＳ（パケット）入力部に向けて、ＴＳ入力変換モジュールにより変換した出力フォーマットの一例を示す。
【００２５】
図３に示すように、ＴＳ入力変換モジュール１１においては、各チューナーモジュールから供給される任意数（Ｎチャンネル）分のｎ個のパケットは、各チューナーモジュールから供給されたＴＳパケットがＴＳ入力変換部２１に到着した際のＳＴＣカウンター１５の値（ＳＴＣ値）及びエラーなどのステータスを示すデータを含む「Ｓｔａｔｕｓ＿１」，「Ｓｔａｔｕｓ＿２」，・・・，「Ｓｔａｔｕｓ＿ｎ（ｎは任意数）」を伴う出力フォーマットに変換される。
【００２６】
詳細には、『Ｔｕｎｅｒ１＿１』は、チューナーモジュール１０１−１から入力された１パケット目のＴＳパケット，『Ｔｕｎｅｒ１＿２』は、同チューナーモジュール１０１−１から入力された２パケット目のＴＳパケット，・・・，『Ｔｕｎｅｒ１＿ｎ』は、同チューナーモジュール１０１−１から入力されたｎパケット目のＴＳパケットを示す。
【００２７】
同様に、『Ｔｕｎｅｒ２＿１』は、チューナーモジュール１０１−２から入力された１パケット目のＴＳパケット，『Ｔｕｎｅｒ２＿２』は、同チューナーモジュール１０１−２から入力された２パケット目のＴＳパケット，・・・，『Ｔｕｎｅｒ２＿ｎ』は、同チューナーモジュール１０１−２から入力されたｎパケット目のＴＳパケットを、『ＴｕｎｅｒＮ＿１』は、チューナーモジュール１０１−Ｎから入力された１パケット目のＴＳパケット，『ＴｕｎｅｒＮ＿２』は、同チューナーモジュール１０１−Ｎから入力された２パケット目のＴＳパケット，・・・，『ＴｕｎｅｒＮ＿ｎ』は、同チューナーモジュール１０１−Ｎから入力されたｎパケット目のＴＳパケットを、それぞれ、示す。
【００２８】
『Ｓｔａｔｕｓ＿１』，『Ｓｔａｔｕｓ＿２』，・・・，『Ｓｔａｔｕｓ＿ｎ（ｎは任意数）』は、図４により説明するが、個々のチューナーモジュールからＴＳパケットが到着した時刻のＳＴＣカウンター値を示す「ＡＳＴＣ＿ｘ」パケットとエラー等のステータスを表す「Ｓｔａｔｕｓ＿ｘ」パケット（“＿ｘ”は、対応するパケットを示す）が順に配列されたものであり、『ＡＳＴＣ＿１』は、チューナーモジュール１０１−１からＴＳパケットが到着した時刻のＳＴＣカウンター値を、『Ｓｔａｔｕｓ＿１』は、『ＡＳＴＣ＿１』に対応するエラー等のステータスを、それぞれ、示す。
【００２９】
同様に、『ＡＳＴＣ＿２』は、チューナーモジュール１０１−２からＴＳパケットが到着した時刻のＳＴＣカウンター値を示し、『Ｓｔａｔｕｓ＿２』は、『ＡＳＴＣ＿２』に対応するエラー等のステータスを示す。また、『ＡＳＴＣ＿Ｎ』は、チューナーモジュール１０１−ＮからＴＳパケットが到着した時刻のＳＴＣカウンター値を示し、『Ｓｔａｔｕｓ＿ｎ』は、『ＡＳＴＣ＿Ｎ』に対応するエラー等を示す。
【００３０】
このように、個々のチューナーモジュールからＴＳパケットが到着した時刻のＳＴＣカウンター値を示す「ＡＳＴＣ＿ｘ」パケットと対応する「Ｓｔａｔｕｓ＿ｘ」パケットとを直列的に配列するフォーマットを用いることで、デジタル放送受信モジュール２１のＴＳ入力モジュール２２が、１つのチューナーモジュールからから出力される１つのＴＳパケットのみをサポートしている場合でも、ＴＳ入力変換モジュール２２に到着したＳＴＣカウンター１５のＳＴＣ値とエラーなどのステータス情報（特定の情報）を、単一のＴＳ入力モジュール２２に、入力することができる。
【００３１】
このようにして、デジタル放送受信モジュール２１のＴＳ入力モジュール２２に入力されたＭＰＥＧ−２のＴＳパケットは、ＴＳ入力モジュール２２を経由してＤｅｍｕｘモジュール２３に供給され、デマックス（分離）される。
【００３２】
なお、Ｄｅｍｕｘモジュール２３の出力のうち、ＰＣＲデータがあるＭＰＥＧ−２のＴＳパケットはＳＴＣ制御モジュール２４へ、ビデオデータがあるＭＰＥＧ−２のＴＳパケットはビデオデコードモジュール２５へ、オーディオデータがあるＭＰＥＧ−２のＴＳパケットはオーディオデコードモジュール２６へ、それぞれ入力される。なお、ＴＳ入力変換モジュール１１で付加された『Ｓｔａｔｕｓ＿１』，『Ｓｔａｔｕｓ＿２』，・・・，『Ｓｔａｔｕｓ＿ｎ』などのステータス情報は、制御モジュール２７へ送られる。
【００３３】
ＳＴＣ制御モジュール２４は、送られたＭＰＥＧ−２のＴＳパケット中のＰＣＲデータと、ＴＳパケット入力変換モジュール１１で付加された『Ｓｔａｔｕｓ＿１』，『Ｓｔａｔｕｓ＿２』，・・・，『Ｓｔａｔｕｓ＿ｎ』内の、各チューナーモジュールからＴＳパケットがＴＳ入力変換モジュール１１に到着したＳＴＣカウンター値を記録してある値『ＡＳＴＣ＿１』，『ＡＳＴＣ＿２』，・・・，『ＡＳＴＣ＿ｎ』とを、それぞれ、比較する。従って、ＳＴＣがＰＣＲよりも進んでいたらＳＴＣを遅らせるように補正し、ＳＴＣがＰＣＲよりも遅れていたらＳＴＣを早めるように補正することにより、ＳＴＣが補正される。
【００３４】
このように，バッファモジュール１３−１，１３−２，・・・，１３−ＮのそれぞれにＭＰＥＧ−２のＴＳパケットが蓄えられる際に、上述したフォーマット変換によりＳＴＣ値を付加することで、個々のチューナーモジュール出力からデジタル放送受信モジュール２２に入力される遅延時間に変動が生じたとしても、正しく、ＳＴＣ制御を行うことができる。
【００３５】
なお、図４に示したフォーマットを摘要することで、Ｓｔａｔｕｓパケットとして必要となるデータ量が最小で済み、必要以上にデータメモリを占有することもない。
【００３６】
図５は、図２に示した個々のチューナーモジュールから入力された各ＴＳパケットを、デジタル放送受信モジュールのＴＳ（パケット）入力部に向けて、ＴＳ入力変換モジュールにより変換した別の出力フォーマットの一例を示す（図３に示した例とは異なる実施の一形態を示す）。
【００３７】
例えば、デジタル放送受信モジュール２１のＴＳ入力モジュール２２が、チューナーモジュールから出力される形式（ＴＳパケット）以外に付加情報が付属するパケットも受けつけることが可能である場合、図５に示すように、各ＴＳパケットに、直接、ＴＳ入力モジュール２２に到着したＳＴＣカウンター１５の値『ＡＳＴＣＡ（特定のチューナーモジュールを示す符号）＿１』，『ＡＳＴＣＢ（別のチューナーモジュールを示す符号）＿１』，・・・，『ＡＳＴＣＮ（Ｎ番目のチューナーモジュールを示す符号）＿１』もしくはエラーなどのステータスを示す『ＳｔａｔｕｓＡ（特定のチューナーモジュールを示す符号）＿１』，『ＳｔａｔｕｓＢ（別のチューナーモジュールを示す符号）＿１』，・・・，『ＳｔａｔｕｓＮ（Ｎ番目のチューナーモジュールを示す符号）＿１』を付加してもよい。
【００３８】
一例を示すと、図５において、    
『ＴｕｎｅｒＡ＿１』が、    
チューナーモジュールＡ（１０１−１）から入力された１パケット目のＴＳパケット，
『ＴｕｎｅｒＢ＿１』が、    
チューナーモジュールＢ（１０１−２）から入力された１パケット目のＴＳパケット，・・・，    
『ＴｕｎｅｒＮ＿１』が、    
同チューナーモジュールＮ（１０１−Ｎ）から入力された１パケット目のＴＳパケット、    
『ＴｕｎｅｒＡ＿２』が、    
チューナーモジュールＡから入力された２パケット目のＴＳパケット，    
『ＴｕｎｅｒＢ＿２』が、    
同チューナーモジュールＢから入力された２パケット目のＴＳパケット，・・・，    
『ＴｕｎｅｒＡ＿ｎ』が、    
同チューナーモジュールＡから入力されたｎパケット目のＴＳパケット，    
『ＴｕｎｅｒＢ＿ｎ』が、    
チューナーモジュールＢから入力されたｎパケット目のＴＳパケット，・・・，    
『ＴｕｎｅｒＮ＿ｎ』が、    
同チューナーモジュールＮから入力されたｎパケット目のＴＳパケット、をそれぞれ示す。    
また、    
『ＡＳＴＣＡ＿１』が、    
チューナーモジュールＡから出力される１パケット目のＴＳパケットが到着した時のＳＴＣカウンター値，    
『ＡＳＴＣＢ＿１』が、    
チューナーモジュールＢから出力される１パケット目のＴＳパケットが到着した時のＳＴＣカウンター値，・・・，    
『ＡＳＴＣＮ＿１』が、    
同チューナーモジュールＮから出力される１パケット目のＴＳパケットが到着した時のＳＴＣカウンター値，    
『ＡＳＴＣＡ＿２』が、    
チューナーモジュールＡから出力される２パケット目のＴＳパケットが到着した時のＳＴＣカウンター値，    
『ＡＳＴＣＢ＿２』が、    
同チューナーモジュールＢから出力される２パケット目のＴＳパケットが到着した時のＳＴＣカウンター値，・・・，    
『ＡＳＴＣＮ＿２』が、    
同チューナーモジュールＮから出力される２パケット目のＴＳパケットが到着した時のＳＴＣカウンター値，・・・，    
『ＡＳＴＣＮ＿ｎ』が、    
同チューナーモジュールＮから出力されるｎパケット目のＴＳパケットが到着した時のＳＴＣカウンター値、をそれぞれ示し、各ＴＳパケットに、それぞれ付属する。
【００３９】
また、個々のＴＳパケットに付属された『ＡＳＴＣ』に、さらに、    
チューナーＡから出力される１パケット目のＴＳパケットが到着した時のエラー等のステータスである『ＳｔａｔｕｓＡ＿１』，    
チューナーＢから出力される１パケット目のＴＳパケットが到着した時のエラー等のステータスである『ＳｔａｔｕｓＢ＿１』，・・・，    
チューナーＮから出力される１パケット目のＴＳパケットが到着した時のエラー等のステータスである『ＳｔａｔｕｓＮ＿１』，    
チューナーＡから出力される２パケット目のＴＳパケットが到着した時のエラー等のステータスである『ＳｔａｔｕｓＡ＿２』，    
チューナーＢから出力される２パケット目のＴＳパケットが到着した時のエラー等のステータスである『ＳｔａｔｕｓＢ＿２』，・・・，    
チューナーＮから出力される２パケット目のＴＳパケットが到着した時のエラー等のステータスである『ＳｔａｔｕｓＮ＿２』，・・・，    
チューナーＮから出力されるｎパケット目のＴＳパケットが到着した時のエラー等のステータスである『ＳｔａｔｕｓＮ＿ｎ』，が、それぞれ付属することで、デジタル放送受信モジュール２１の単一のＴＳ入力モジュール２２に、任意数のチューナーモジュールからのＴＳパケットを入力することができる。
【００４０】
なお、図５に示すフォーマットは、図３および図４に示したフォーマットに比較して、データ長が長くなる（ｒｅｓｅｒｖｅが多くなる）が、チャンネル毎（チューナーモジュールの出力毎）の処理を高速化できる。
【００４１】
以上説明したように、この発明の実施の一形態を摘要することで、一般的な単一のＴＳ入力に対応するデジタル放送受信モジュールを用い、複数のチューナーモジュールからの複数チャンネルのデジタル放送信号を、同時にデコード可能となる。また、単一のＴＳ入力に対応するデジタル放送受信モジュールを用いて複数チャンネルのデジタル放送を再生することが可能であり、新たに、多チャンネルの入力を並列処理可能なデジタル放送受信モジュールを開発することが必要なく、低コストで多チャンネルに対応できる。
【００４２】
なお、この発明は、上述した各実施の形態に限定されるものではなく、その実施の段階ではその要旨を逸脱しない範囲で種々な変形もしくは変更が可能である。また、各実施の形態は、可能な限り適宜組み合わせて、もしくは一部を削除して実施されてもよく、その場合は、組み合わせもしくは削除に起因したさまざまな効果が得られる。
【図面の簡単な説明】
【００４３】
【図１】この発明の一実施形態に係るデジタル放送受信装置の構成を示すブロック図。
【図２】図１に示したデジタル放送受信装置において、任意数のチューナーからＴＳ入力変換モジュールに入力されるＴＳパケットの出力例を示す概略図。
【図３】図１に示したデジタル放送受信装置において、ＴＳ入力変換モジュールから出力されるＴＳパケット（多重）の出力例を示す概略図。
【図４】図３に示したＴＳ入力変換モジュールから出力されるＴＳパケットに付加されるステータス（Status）パケットの一例を示す概略図。
【図５】図１に示したデジタル放送受信装置において、ＴＳ入力変換モジュールから出力されるＴＳパケット（多重）の別の出力例を示す概略図。
【符号の説明】
【００４４】
１…デジタル放送受信装置、１１…ＴＳ入力変換モジュール、１３−１，１３−２，・・・，１３−Ｎ…バッファメモリモジュール、１５…ＳＴＣ（System Time Clock）カウンター、２１…デジタル放送受信モジュール、２２…ＴＳ入力モジュール、２３…ＴＳＤｅｍｕｘモジュール、２４…ＳＴＣ（System Time Clock）制御モジュール、２５…ビデオデコードモジュール、２６…オーディオデコードモジュール、２７…制御モジュール、１０１−１（Ａ），１０１−２（Ｂ），・・・，１０１−Ｎ（Ｎ）…チューナーモジュール。
【図１】
2010154133.tif 000003
【図２】
2010154133.tif 000004
【図３】
2010154133.tif 000005
【図４】
2010154133.tif 000006
【図５】
2010154133.tif 000007
【手続補正書】
【提出日】平成22年3月15日(2010.3.15)
【手続補正１】
【補正対象書類名】特許請求の範囲
【補正対象項目名】全文
【補正方法】変更
【補正の内容】
【特許請求の範囲】
【請求項１】
入力チャンネル数に対応する複数のバッファメモリモジュールを含み、複数チャンネルのデジタル放送信号のパケットを受け付け、各パケットが到着した時刻を示すカウンター値であるＳＴＣ（システムタイムクロック）値を含むパケットと、このＳＴＣ値を含むカウンター値を含むパケットに付属すべき付属情報パケットを生成する入力変換モジュールと、
ビデオ信号及びオーディオ信号の同期処理に使用されるＳＴＣを再生し、前記入力変換モジュールのカウンターに供給するＳＴＣ制御モジュールを含み、前記入力変換モジュールから送られてくるそれぞれのパケットを受信して、デマックスし、前記カウンター値を任意の入力チャンネルからＴＳパケットが到着した時刻のカウンター値を含むパケットと、このパケットに対応する前記付属情報パケットを所定の順に配列するフォーマットによりフォーマットし、このフォーマットした前記カウンター値と前記各パケットに付属するＰＣＲ（プログラムクロックリファレンス）とを比較し、ＳＴＣ値を、必要に応じて補正するデジタル放送受信モジュールと、
を有することを特徴とするデジタル放送受信装置。
【請求項２】
入力チャンネル数に対応する複数のバッファメモリモジュールを含み、複数チャンネルのデジタル放送信号のパケットを受け付け、各パケットが到着した時刻を示すカウンター値であるＳＴＣ（システムタイムクロック）値を含むパケットと、このＳＴＣ値を含むカウンター値を含むパケットに付属すべき付属情報パケットを生成する入力変換モジュールと、
ビデオ信号及びオーディオ信号の同期処理に使用されるＳＴＣを再生し、前記入力変換モジュールのカウンターに供給するＳＴＣ制御モジュールを含み、前記入力変換モジュールから送られてくるそれぞれのパケットを受信して、デマックスし、前記カウンター値を任意の入力チャンネルからＴＳパケットが到着した時刻のカウンター値を含むパケットと、このパケットに対応する前記付属情報パケットを並列に配列するフォーマットによりフォーマットし、このフォーマットした前記カウンター値と前記各パケットに付属するＰＣＲ（プログラムクロックリファレンス）とを比較し、ＳＴＣ値を、必要に応じて補正するデジタル放送受信モジュールと、
を有することを特徴とするデジタル放送受信装置。
【手続補正３】
【補正対象書類名】明細書
【補正対象項目名】０００７
【補正方法】変更
【補正の内容】
【０００７】
この発明は、上記問題点に基づきなされたもので、入力チャンネル数に対応する複数のバッファメモリモジュールを含み、複数チャンネルのデジタル放送信号のパケットを受け付け、各パケットが到着した時刻を示すカウンター値であるＳＴＣ（システムタイムクロック）値を含むパケットと、このＳＴＣ値を含むカウンター値を含むパケットに付属すべき付属情報パケットを生成する入力変換モジュールと、ビデオ信号及びオーディオ信号の同期処理に使用されるＳＴＣを再生し、前記入力変換モジュールのカウンターに供給するＳＴＣ制御モジュールを含み、前記入力変換モジュールから送られてくるそれぞれのパケットを受信して、デマックスし、前記カウンター値を任意の入力チャンネルからＴＳパケットが到着した時刻のカウンター値を含むパケットと、このパケットに対応する前記付属情報パケットを所定の順に配列するフォーマットによりフォーマットし、このフォーマットした前記カウンター値と前記各パケットに付属するＰＣＲ（プログラムクロックリファレンス）とを比較し、ＳＴＣ値を、必要に応じて補正するデジタル放送受信モジュールと、を有することを特徴とするデジタル放送受信装置である。
【手続補正４】
【補正対象書類名】図面
【補正対象項目名】図１
【補正方法】変更
【補正の内容】
【図１】
2010154133.tif 000008